(57)【要約】  本願は端末を提供する。本願の端末は、第１の開口と第２の開口とを有する。少なくとも２つのカメラと距離検出センサとが第１の開口に配置され、距離検出センサは２つのカメラの間にある隙間に配置され、その一方で、フラッシュは第２の開口に配置される。このように、本願の端末の背面には開口が少なく、かつ開口が小さいので部品のレイアウトがコンパクトであり、かつ外観がより美しくなる。
2021516916.tif 000002
【特許請求の範囲】
【請求項１】
端末本体、少なくとも２つのカメラ、フラッシュ、および距離検出センサを備える端末であって、
前記少なくとも２つのカメラ、前記フラッシュ、および前記距離検出センサが、前記端末本体に配置され、
前記端末本体は第１の開口と第２の開口とを備え、前記少なくとも２つのカメラと前記距離検出センサとは前記第１の開口に配置され、前記距離検出センサは２つの前記カメラの間にある隙間に配置され、
前記フラッシュは前記第２の開口に配置される、
端末。
【請求項２】
前記端末本体に環境検出センサがさらに配置され、前記環境検出センサは前記第２の開口に配置される、請求項１に記載の端末。
【請求項３】
前記環境検出センサが前記第２の開口に配置され、前記フラッシュの光円錐が前記環境検出センサの光円錐と部分的に重なる、請求項２に記載の端末。
【請求項４】
前記カメラの数が２つであり、前記２つのカメラが前記第１の開口の最大寸法が位置する方向に沿って間隔を置いて配置される、請求項１から３のいずれか一項に記載の端末。
【請求項５】
前記距離検出センサが、前記２つのカメラの中心を結ぶ直線の片側に配置される、あるいは前記距離検出センサが、前記２つのカメラの中心を結ぶ直線上に配置される、請求項４に記載の端末。
【請求項６】
前記第１の開口が、前記端末本体の上縁または側縁が位置する方向に沿って延伸して設けられる、請求項１から３のいずれか一項に記載の端末。
【請求項７】
前記第２の開口が前記第１の開口に近接して配置される、請求項１から３のいずれか一項に記載の端末。
【請求項８】
前記距離検出センサが、長辺縁部と短辺縁部とを有し、前記距離検出センサの前記短辺縁部が、前記第１の開口の最大寸法が位置する方向と平行になっている、請求項１から３のいずれか一項に記載の端末。
【請求項９】
前記端末が、防塵部品をさらに備え、前記防塵部品が、前記カメラの軸線方向に沿って前記カメラの周囲に被せられる、請求項１から３のいずれか一項に記載の端末。
【請求項１０】
前記防塵部品が、少なくとも２層の防塵フォームを備え、前記少なくとも２層の防塵フォームが、前記カメラの前記軸線方向に沿って順次積み重ねられ、前記少なくとも２層の防塵フォームのうちの防塵フォームの最外層が、前記カメラの外側を囲み、前記少なくとも２つのカメラが通過できる複数の貫通開口が、残りの前記防塵フォームに配置される、請求項９に記載の端末。
【請求項１１】
前記端末が、第１の回路基板をさらに備え、前記第１の回路基板が、前記防塵フォームの最外層に隣接する前記防塵フォームに配置され、前記距離検出センサが前記第１の回路基板に配置され、前記端末本体内で、前記第１の回路基板の一端が、前記防塵フォームの２つの層の間を通る接続線によって第２の回路基板に接続される、請求項１０に記載の端末。
【請求項１２】
前記防塵フォームの２つの層の間に配置された前記接続線の太さが、前記第１の回路基板から前記第２の回路基板にかけて順次減少する、請求項１１に記載の端末。
【請求項１３】
前記第１の回路基板が、フレキシブルプリント基板である、請求項１１に記載の端末。
【請求項１４】
前記第２の回路基板が、主制御回路基板である、請求項１１に記載の端末。
【請求項１５】
前記第２の開口が、２つの半円形の開口に囲まれた円形の開口である、請求項２に記載の端末。
【請求項１６】
前記環境検出センサが、前記２つの半円形の開口のうちの一方に配置され、前記フラッシュが、前記２つの半円形の開口のうちの他方の前記半円形の開口に配置される、請求項１５に記載の端末。
【請求項１７】
前記端末本体は筐体を備え、前記第１の開口および前記第２の開口は、画面とは反対の方向を向いている前記筐体の表面に設けられ、かつ／または前記第１の開口および前記第２の開口は、前記画面の方を向いている前記筐体の表面に設けられる、請求項１から３のいずれか一項に記載の端末。
【請求項１８】
前記端末本体に環境検出センサがさらに配置され、前記環境検出センサが、前記第１の開口に配置され、前記環境検出センサが、前記２つのカメラの間にある前記隙間に配置される、請求項１に記載の端末。
【発明の詳細な説明】
【技術分野】
【０００１】
本願は電子機器の分野に関し、特に端末に関する。
【背景技術】
【０００２】
情報技術が急速に発展するにつれて、端末製品（携帯電話、タブレット、およびノートパソコンなど）がより頻繁に使用され、より多くのアプリケーションが端末に組み込まれている。写真撮影は端末製品に必須のアプリケーションの１つになっている。
【０００３】
現在は写真撮影をするために端末製品にカメラが取り付けられており、端末製品の数が増加するにつれて、元のシングルカメラはデュアルカメラに形を変えている。端末にデュアルカメラが搭載されるとき、取り付けのために端末の筐体に開口が設けられる場合があり、あるいは２つのカメラをそれぞれ取り付けるために２つの開口が設けられる場合がある。
【発明の概要】
【０００４】
また、撮影性能を向上させるために、フラッシュと距離検出センサとが、端末に配置されたカメラと同じ側に配置される。セッティングについては、２つの既存の解決策がある。第１の方法では、フラッシュと距離検出センサとを個別に取り付けるために、カメラの外側に個別の開口が追加される。しかしながら、この方法では端末に２つの開口を個別に追加する必要があり、これによって端末の背面の外観がある程度の影響を受ける。第２の方法では、フラッシュと距離検出センサとは、２つのカメラが配置される１つの開口に共に取り付けられる。しかしながら、この方法ではフラッシュと距離検出センサとが互いに干渉しやすく、フラッシュと距離検出センサとの間に距離が必要になる。このように、開口にフラッシュと距離検出センサとが配置されると開口面積が大きくなり、これも外観に影響する。
【課題を解決するための手段】
【０００５】
本願は、カメラとフラッシュとセンサとを取り付けると端末本体の外観に影響するという既存の端末における問題を解決するための端末を提供する。
【０００６】
本願は、端末本体、少なくとも２つのカメラ、フラッシュ、および距離検出センサを備える端末を提供し、
少なくとも２つのカメラ、フラッシュ、および距離検出センサが、端末本体に配置され、
端末本体は第１の開口と第２の開口とを備え、少なくとも２つのカメラと距離検出センサとは第１の開口に配置され、距離検出センサは２つのカメラの間にある隙間に配置され、
フラッシュは第２の開口に配置される。
【０００７】
第１の態様の可能な実施では、端末本体に環境検出センサがさらに配置され、環境検出センサは第２の開口に配置される。
【０００８】
第１の態様の可能な実施では、端末本体に環境検出センサがさらに配置され、環境検出センサは第１の開口に配置され、環境検出センサは、２つのカメラの間にある隙間に配置される。このように、環境検出センサが追加されるときに、環境検出センサを取り付けるために開口を追加する必要がなく、その結果、端末本体の開口の数が削減される。また、第１の開口に環境検出センサが配置されるときは、環境検出センサと距離検出センサとの間の隙間に制限はない。したがって、２つの隣接するカメラの間にある隙間に環境検出センサと距離検出センサとが配置されるときに、占有されるスペースが比較的小さく、かつ環境検出センサを配置するために第１の開口に余分なスペースを空けておく必要がないため、環境検出センサを配置することによって第１の開口の開口面積が大きくなることがない。
【０００９】
第１の態様の可能な実施では、環境検出センサは第２の開口に配置され、フラッシュの光円錐は環境検出センサの光円錐と部分的に重なる。このように、フラッシュと環境検出センサとが第２の開口に配置されると、フラッシュと環境検出センサとの間のスペースが削減され得る。したがって、フラッシュと環境検出センサとによって占有されるスペースが削減され、第１の開口の開口面積が縮小される。
【００１０】
第１の態様の可能な実施では、２つのカメラがあり、２つのカメラは、第１の開口の最大寸法が位置する方向に沿って間隔を置いて配置される。このように、第１の開口に２つのカメラがコンパクトに配置され、外観がより美しくなる。
【００１１】
第１の態様の可能な実施では、距離検出センサは、２つのカメラの中心を結ぶ直線の片側に配置される、あるいは距離検出センサは、２つのカメラの中心を結ぶ直線上に配置される。
【００１２】
第１の態様の可能な実施では、第１の開口は、端末本体の上縁または側縁が位置する方向に沿って延伸して設けられる。このように、端末本体における第１の開口の延伸方向が端末本体の縁部と一致し、これによって端末本体における第１の開口の見た目が確実に良くなる。
【００１３】
第１の態様の可能な実施では、第２の開口は第１の開口に近接して配置される。このように、カメラとフラッシュと距離検出センサとが端末本体にコンパクトに配置され、外観がより美しくなる。
【００１４】
第１の態様の可能な実施では、距離検出センサは長辺縁部と短辺縁部とを有し、距離検出センサの短辺縁部は、第１の開口の最大寸法が位置する方向と平行になっている。このように、２つのカメラの間に距離検出センサが配置されるときに、２つのカメラの間のスペースが大きくなることがない。これにより、第１の開口でカメラと距離検出センサとが占めるスペースが比較的小さくなることが保証され、その結果、第１の開口の長さが過度に大きくなりにくい。
【００１５】
第１の態様の可能な実施では、防塵部品をさらに備え、防塵部品は、カメラの軸線方向に沿ってカメラの周囲に被せられる。このように防塵部品は、カメラに塵などの不純物が侵入してカメラに干渉することを防止する。
【００１６】
第１の態様の可能な実施では、防塵部品は少なくとも２層の防塵フォームを備え、少なくとも２層の防塵フォームは、カメラの軸線方向に沿って順次積み重ねられ、少なくとも２層の防塵フォームのうちの防塵フォームの最外層が、カメラの外側を囲み、少なくとも２つのカメラが通過できる複数の貫通開口が、残りの防塵フォームに配置される。このように、少なくとも２層の防塵フォームによってカメラの防塵効果が向上する。
【００１７】
第１の態様の可能な実施では、第１の回路基板をさらに備え、第１の回路基板は、防塵フォームの最外層に隣接する防塵フォームに配置され、距離検出センサが第１の回路基板に配置され、端末本体内で、第１の回路基板の一端が、防塵フォームの２つの層の間を通る接続線によって第２の回路基板に接続される。このように、接続線からカメラに塵が侵入するのを防止し、その結果、カメラが塵の干渉を受けることはない。
【００１８】
第１の態様の可能な実施では、防塵フォームの２つ層の間に配置された接続線の太さは、第１の回路基板から第２の回路基板にかけて順次減少する。このように、塵が接続線の一端から入ったとしても、接続線が連続的に縮小することによって塵を遮断し、その結果、防塵フォームの２つの層の間を塵が容易に通過してカメラに容易に侵入することはない。
【００１９】
第１の態様の可能な実施では、第１の回路基板はフレキシブルプリント基板である。このように、第１の回路基板はある程度の可撓性を有し、防塵フォームに取り付けられるときに容易に固定される。
【００２０】
第１の態様の可能な実施では、第２の回路基板は主制御回路基板である。
【００２１】
第１の態様の可能な実施では、第２の開口は、２つの半円形の開口に囲まれた円形の開口である。
【００２２】
第１の態様の可能な実施では、環境検出センサは２つの半円形の開口のうちの一方に配置され、フラッシュは２つの半円形の開口のうちの他方の半円形の開口に配置される。
【００２３】
第１の態様の可能な実施では、端末本体は筐体を備え、第１の開口および第２の開口は、画面とは反対の方向を向いている筐体の表面に設けられ、かつ／または第１の開口および第２の開口は、画面の方を向いている筐体の表面に設けられる。このように、カメラとフラッシュと距離検出センサとが端末の正面に配置されてもよく、または端末の背面に配置されてもよく、あるいは多方向を撮影する目的を果たすために、カメラとフラッシュと距離検出センサとが端末の正面および背面の両面に配置されてもよい。
【００２４】
本願で提供される端末では、端末本体に第１の開口と第２の開口とが設けられる。少なくとも２つのカメラと距離検出センサとは第１の開口に配置され、距離検出センサは２つのカメラの間にある隙間に配置され、フラッシュは第２の開口に配置される。このように、２つの隣接するカメラが第１の開口に配置される場合に、２つの隣接するカメラの間に存在する隙間を使用することによって、距離検出センサが第１の開口に配置されるときに、距離検出センサを配置するために第１の開口に余分なスペースを空けておく必要がなく、これにより、距離検出センサを配置することによって第１の開口の開口面積が大きくなることがないことを確実にする。カメラと距離検出センサとフラッシュとが同じ開口に配置される従来技術に比べて、本実施形態では、第１の開口を小さくする目的が達成される。また、本実施形態では、少なくとも２つのカメラと距離検出センサとは第１の開口に配置され、フラッシュは第２の開口に配置されるので、カメラと距離検出センサとフラッシュとが個別の開口に配置される既存の端末に比べて、開口の数が少なくなる。したがって、本実施形態で提供される端末は開口が少なく、かつ開口が小さいので、カメラ、フラッシュ、および距離検出センサのレイアウトをコンパクトにする目的が達成され、その結果、端末の外観がより美しくなる。
【図面の簡単な説明】
【００２５】
【図１Ａ】本願における実施形態１による、端末の背面の概略的な構造図である。
【図１Ｂ】本願における実施形態１による、端末の正面の概略的な構造図である。
【図１Ｃ】本願における実施形態１による、端末の正面の別の概略的な構造図である。
【図２Ａ】本願における実施形態１による、端末の背面の別の概略的な構造図である。
【図２Ｂ】本願における実施形態１による、端末の背面のさらに別の概略的な構造図である。
【図３Ａ】本願における実施形態２による、端末の背面の概略的な構造図である。
【図３Ｂ】本願における実施形態２による、端末の背面の別の概略的な構造図である。
【図４Ａ】本願における実施形態３による、端末の背面の概略的な構造図である。
【図４Ｂ】本願における実施形態３による、端末の背面の別の概略的な構造図である。
【図５】本願における実施形態３による、端末のカメラ、センサ、およびフラッシュの概略的な構造図である。
【図６】本願による端末の第１の開口の断面の一部の概略的な構造図である。
【図７】本願による端末のカメラおよび防塵部品の断面の概略的な構造図である。
【図８】既存の端末の、カメラおよび防塵部品の断面の概略的な構造図である。
【図９】本願による端末の、フラッシュの光円錐および環境検出センサの光円錐の概略図である。
【図１０】本願による端末の、フラッシュの光円錐および環境検出センサの光円錐の概略的な上面図である。
【発明を実施するための形態】
【００２６】
本願における実施形態の技術的解決策をより明確にするため、本出願人は以下の説明のために、いくつかの部品または用語についてまず定義する。「距離検出センサ」は端末と目標物との間の距離を検出するように構成され、距離に基づいてカメラの撮影パラメータを調節する。「端末」とは、携帯電話、タブレット、携帯情報端末（Personal Digital Assistant、ＰＤＡ）、販売時点情報管理（Point of Sales、ＰＯＳ）、車載コンピュータなどを含む場合がある。
【００２７】
実施形態１
この実施形態では、端末が携帯電話である例が使用されている。具体的には、図１Ａおよび図２Ｂに示すように、端末は、端末本体１０、少なくとも２つのカメラ２０、フラッシュ４０、および距離検出センサ３０を備え、少なくとも２つのカメラ２０、フラッシュ４０、および距離検出センサ３０が、端末本体１０に配置される。距離検出センサ３０は、端末と目標物との間の距離を検出するように構成される。このように、撮影中は端末本体１０内にある主制御回路基板が、距離検出センサ３０によって検出された距離に基づいてカメラ２０またはフラッシュ４０の関連パラメータ（例えば、光強度および焦点位置）を調節し、その結果、撮影効果がより良好になる。
【００２８】
既存の携帯電話では、デュアルカメラ２０と、フラッシュ４０と、距離検出センサ３０と、が端末本体１０に配置されるときは、通常は個別の開口が配置され、あるいはデュアルカメラ２０と、フラッシュ４０と、距離検出センサ３０と、は、端末本体１０に配置された開口内に配置される。デュアルカメラ２０と、フラッシュ４０と、距離検出センサ３０と、が個別に配置されるときは、端末本体１０の開口の数が比較的多くなり、その結果、端末の外観がある程度の影響を受ける。しかしながら、デュアルカメラ２０と、フラッシュ４０と、距離検出センサ３０と、が１つの開口内に配置されるときは、ＬＥＤの光放射角度を変化させるために、フラッシュ４０のレンズは補助的な光学素子を使用してフレネルテクスチャ構造で設計される。携帯電話のフラッシュ４０は、フラッシュレンズの焦点機能を使用して光を７０°〜８０°に収束し、距離検出センサ３０は赤外線光を放射し、波長は可視光の波長とは異なる。したがって、距離検出センサ３０には可視光を集中させるフレネルレンズは使用できない、つまり、距離検出センサ３０はフラッシュ４０のカバーを共有することはできない。距離検出センサ３０とフラッシュ４０とがカバーを共有する必要がある場合は、レンズは個別に設計されなければならず、かつ光円錐が重なるようにすることはできない。このように、距離検出センサ３０とフラッシュ４０とは１つの開口に配置され、距離検出センサ３０の光円錐とフラッシュ４０の光円錐とが容易に重ならないことを確実にするために、距離検出センサ３０とフラッシュ４０との間は間隔を空けておく必要がある。このように、距離検出センサ３０とフラッシュ４０とが１つの開口に配置されるときは比較的大きいスペースが占有され、したがって開口の開口面積が比較的大きくなる。例えば、開口の長さが増す、または開口の幅が増す、または開口の長さおよび幅の両方が比較的大きくなり、結果として端末の外観の美しさにある程度の影響を及ぼす。
【００２９】
したがって、前述した問題を解決するために、この実施形態では、具体的には端末本体１０は、第１の開口１１と第２の開口１２とを備える。第１の開口１１と第２の開口１２とは、端末本体１０の同じ側に配置されてもよい。例えば、第１の開口１１および第２の開口１２の両方が、（図１Ａに示すように）端末本体１０の背面に配置されてもよく、あるいは第１の開口１１と第２の開口１２とが、端末本体１０の正面に配置されてもよい。図１Ｂおよび図１Ｃでは、第１の開口１１は端末本体１０の正面の上部に配置される。この実施形態では、図１Ａが例として使用される。第１の開口１１と第２の開口１２とは、端末本体１０の背面に配置される。少なくとも２つのカメラ２０と距離検出センサ３０とは、第１の開口１１に配置される。フラッシュ４０は第１の開口１１には配置されず、距離検出センサ３０は２つのカメラ２０の間の隙間に配置され、フラッシュ４０は第２の開口１２に配置される。
【００３０】
具体的には、この実施形態では、少なくとも２つのカメラ２０が第１の開口１１に配置されるときは、２つの隣接するカメラ２０の間に通常は隙間が存在するため、２つの隣接するカメラ２０の間に間隔がない場合でも、距離検出センサ３０は隙間に配置され得る。具体的には、２つの隣接するカメラ２０は並べて配置される。しかしながら、カメラ２０は通常は円形形状であるため、２つの隣接するカメラ２０が並べて配置されている場合であっても、２つの隣接するカメラ２０の間には、交点の上側および下側、または左側および右側に通常は空の隙間が存在する。この場合、距離検出センサ３０は隙間に配置されてもよい。このように、距離検出センサ３０を配置するために、第１の開口１１内に余分にスペースを空けておく必要はない。しかしながら、既存の端末では、フラッシュ４０と距離検出センサ３０との両方を配置する必要があるために、デュアルカメラ２０とフラッシュ４０と距離検出センサ３０とが１つの開口に配置されると占有されるスペースが比較的大きくなる。したがって、フラッシュ４０と距離検出センサ３０とが、カメラ２０が配置されている開口に配置されるときは、フラッシュ４０と距離検出センサ３０とを配置するための余分なスペースを開口内に空けておくことが必要になる。したがって、既存の端末にカメラ２０とフラッシュ４０と距離検出センサ３０とを配置するためには、開口の長さまたは幅が大きくなる。しかしながら、この実施形態では、２つの隣接するカメラ２０が第１の開口１１に配置される場合に、２つの隣接するカメラ２０の間に存在する隙間を使用することによって、距離検出センサ３０が第１の開口１１に配置されるときに、距離検出センサ３０を配置するために第１の開口１１に余分なスペースを空けておく必要がなく、その結果、距離検出センサ３０を配置することによって第１の開口１１の開口面積が大きくなることはないことを確実にする。
【００３１】
したがって、従来技術におけるカメラとフラッシュ４０と距離検出センサとが配置される開口に比べて、この実施形態では第１の開口１１の開口面積が小さくなる。また、この実施形態では、少なくとも２つのカメラ２０と距離検出センサ３０とは第１の開口１１に配置され、フラッシュ４０は第２の開口１２に配置されるので、カメラ２０と、距離検出センサ３０と、フラッシュ４０と、が個別の開口に配置される既存の端末に比べて開口の数が少なくなる。したがって、この実施形態で提供される端末は開口が少なく、かつ開口が小さいので、カメラ２０、フラッシュ４０、および距離検出センサ３０のレイアウトをコンパクトにする目的が達成され、その結果、端末の外観がより美しくなる。
【００３２】
また、この実施形態では、距離検出センサ３０は第１の開口１１に配置され、フラッシュ４０は第２の開口１２に配置される。具体的には、距離検出センサ３０とフラッシュ４０とは、それぞれ別の開口に配置される。距離検出センサ３０とフラッシュ４０とが同じ開口に配置される従来技術に比べて、この実施形態では、距離検出センサ３０とフラッシュ４０とが間隔を置いた２つの開口に配置されるので、フラッシュ４０によって放射された可視光と、距離検出センサ３０によって放射された赤外光と、が容易に干渉することはなく、フラッシュ４０が距離検出センサ３０に干渉することが回避される。
【００３３】
この実施形態では、カメラ２０の数は２つまたは３つに設定されてもよく、具体的な数は実際の要件に基づいて設定される。この実施形態では、図１Ａに示すように、第１のカメラ２１および第２のカメラ２２のそれぞれ２つのカメラ２０がある。距離検出センサ３０は、第１のカメラ２１と第２のカメラ２２との間にある隙間に配置される。第１のカメラ２１と第２のカメラ２２との間にある隙間は、通常は２つのカメラ２０の撮影効果に基づいて設定され、距離検出センサ３０は、通常は比較的小さいスペースを占めることに留意されたい。したがって、距離検出センサ３０が第１のカメラ２０と第２のカメラ２２との間にある隙間に配置されるときは、距離検出センサ３０が第１の開口１１のスペースを完全に占有することはない。したがって、距離検出センサ３０が第１の開口１１に配置されるときに、第１の開口１１の開口サイズに影響を及ぼすことはない。したがって、第１の開口１１の開口面積を過度に大きくなりやすくしないという目的が確実に達成される。
【００３４】
この実施形態では、端末本体１０が第１の開口１１と第２の開口１２とを有するときは、具体的には、カメラ２０、フラッシュ４０、および距離検出センサ３０のレイアウトが確実にコンパクトになるように、第２の開口１２は第１の開口１１の周囲に配置されてもよく、第２の開口１２は第１の開口１１に近接して配置されてもよい。具体的な配置方法は実際の要件に基づいて設定されてもよく、かつこの実施形態において限定されることはない。
【００３５】
また、この実施形態では、図１Ａに示すように、第１の開口１１と第２の開口１２とは、端末本体１０の横方向に沿って配置されてもよい。具体的には、第１の開口１１と第２の開口１２とは、左から右へ順次配置されてもよい。あるいは、図２Ａに示すように、第１の開口１１と第２の開口１２とは、端末本体１０の縦方向に沿って配置される。具体的には、第１の開口１１と第２の開口１２とは、上部から下部へと順次配置されてもよい。具体的な配置方法は実際の要件に基づいて設定され、かつこの実施形態において限定されることはない。図２Ａに示すように、第１の開口１１と第２の開口１２とが、端末本体１０の背面で上部から下部へと配置されるときは、第１の開口１１と第２の開口１２とは端末本体１０の背面の中央に配置されてもよく、あるいは図２Ｂに示すように、第１の開口１１と第２の開口１２とは、端末本体１０の背面で端末本体１０の側部に近接して配置されてもよい。
【００３６】
この実施形態では、第１の開口１１および第２の開口１２の形状は、四角形の開口、円形の開口、または楕円形の開口であってもよい。第１の開口１１および第２の開口１２の形状は、実際の要件に基づいて設定されてもよい。第１の開口１１および第２の開口１２の形状は、この実施形態において限定されない。
【００３７】
この実施形態における第１の開口１１および第２の開口１２は単に開口同士を区別するために使用され、開口を限定するために使用されているのではないことに留意されたい。
【００３８】
この実施形態で提供される端末によれば、端末本体１０は、第１の開口１１と第２の開口１２とを備える。少なくとも２つのカメラ２０と距離検出センサ３０とは第１の開口１１に配置され、距離検出センサ３０は２つのカメラ２０の間にある隙間に配置される。フラッシュ４０は第２の開口１２に配置される。このように、２つの隣接するカメラ２０が第１の開口１１に配置される場合に、２つの隣接するカメラ２０の間に存在する隙間を使用することによって、距離検出センサ３０が第１の開口１１に配置されるときに、距離検出センサ３０を配置するために第１の開口１１に余分なスペースを空けておく必要がなく、その結果、距離検出センサ３０を配置することによって第１の開口１１の開口面積が大きくなることはないことを確実にする。カメラ２０と距離検出センサ３０とフラッシュ４０とが同じ開口に配置される従来技術に比べて、この実施形態では、第１の開口１１を小さくする目的が達成される。また、この実施形態では、少なくとも２つのカメラ２０と距離検出センサ３０とは第１の開口１１に配置され、フラッシュ４０は第２の開口１２に配置されるので、カメラ２０と、距離検出センサ３０と、フラッシュ４０と、が個別の開口に配置される既存の端末に比べて開口の数が少なくなる。したがって、この実施形態で提供される端末は開口が少なく、かつ開口が小さいので、カメラ２０、フラッシュ４０、および距離検出センサ３０のレイアウトをコンパクトにする目的が達成され、その結果、端末の外観がより美しくなる。
【００３９】
可能な実施では、２つのカメラ２０がある。図１Ａおよび図２Ｂに示すように、２つのカメラはそれぞれ、第１のカメラ２１と第２のカメラ２２とである。第１のカメラ２１と、距離検出センサ３０と、第２のカメラ２２と、は、第１の開口１１の最大寸法が位置する方向に沿って間隔を置いて配置される。具体的には、第１の開口１１は長く延びた開口であり、長辺と短辺とを有し、第１の開口１１の最大寸法が位置する方向は長辺の延伸方向である。したがって、第１のカメラ２１と、距離検出センサ３０と、第２のカメラ２２と、は、第１の開口１１の長辺の延伸方向に沿って間隔を置いて配置される。例えば、図１Ａに示すように、第１の開口１１の長辺の延伸方向が横方向であれば、すなわち第１の開口１１が横方向に設けられれば、第１のカメラ２１と、距離検出センサ３０と、第２のカメラ２２と、は横方向に分配される。図２Ａに示すように、第１の開口１１の長辺の延伸方向が縦方向であれば、すなわち第１の開口１１が縦方向に設けられれば、第１のカメラ２１と、距離検出センサ３０と、第２のカメラ２２と、は縦方向に分配される。
【００４０】
可能な実施では、距離検出センサ３０は、２つのカメラ２０の中心を結ぶ直線の片側に配置される。このように、距離検出センサ３０は、２つのカメラ２０の間の、上側または下側、あるいは左側または右側にある隙間に配置される、あるいは２つのカメラ２０の中心を結ぶ直線上に配置される。このように、距離検出センサ３０は、２つのカメラの間にある隙間に配置される。
【００４１】
可能な実施では、第１の開口１１は、具体的には端末本体１０の背面の上部に配置されてもよい。また、図１Ａに示すように、第１の開口１１の最大寸法が位置する方向は、端末本体１０の上縁または側縁と平行である。具体的には、第１の開口１１の長辺の延伸方向は、端末本体１０の上縁または側壁と平行である。第１の開口１１の長辺の延伸方向が端末本体１０の上縁と平行なときは、第１の開口１１は端末本体１０上で横方向に延伸する。あるいは、この実施形態では、図２Ａに示すように、第１の開口１１の長辺の延伸方向は、さらに端末本体１０の側縁と平行であってもよい。具体的には、第１の開口１１は端末本体１０上で縦方向に延伸する。
【００４２】
可能な実施では、第２の開口１２は第１の開口１１に近接して配置され、すなわち第２の開口１２は第１の開口１１に隣接して配置される。具体的には、第２の開口１２は、第１の開口１１の短辺に近接して配置されてもよい。具体的には、図１Ａに示すように、第１の開口１１が横方向に設けられているときは、第２の開口１２は第１の開口１１の左側または右側に配置される、すなわち第１の開口１１の短辺に近接する側に配置される。図２Ａおよび図２Ｂに示すように、第１の開口１１が縦方向に設けられているときは、第２の開口１２は第１の開口１１の上側または下側に配置される、すなわち第２の開口１２は、第１の開口１１の短辺に近接する側に配置される、あるいは第２の開口１２は、第１の開口１１の長辺に近接して配置されてもよい。具体的には、第１の開口１１が横方向に穴開けされているときも、第２の開口１２は第１の開口１１の上側または下側に配置されてもよい。同様に、第１の開口１１が縦方向に穴開けされているときも、第２の開口１２は第１の開口１１の左側または右側に配置されてもよい。
【００４３】
可能な実施では、距離検出センサ３０は、四角形状のセンサであり、長辺縁部と短辺縁部とを有する。距離検出センサ３０が第１の開口１１の比較的大きいスペースを占有することを防止するために、この実施形態では、距離検出センサ３０の短辺縁部は、第１の開口１１の最大寸法が位置する方向と平行になっている。具体的には、図１Ａに示すように、第１の開口１１の最大寸法が位置する方向は横平行であり、第１の開口１１は横方向に設けられている。この場合は、距離検出センサ３０は縦に配置され、距離検出センサ３０の短辺縁部が横方向と平行になっている。このように、第１の開口１１の長さが、長さ方向に増加することはない。同様に、図２Ａに示すように、第１の開口１１が縦方向に設けられているときは、距離検出センサ３０は横に配置され、これにより第１の開口の長さが過度に長くなるのを回避し、２つのカメラ２０と距離検出センサ３０とが、比較的短い楕円形の開口内に確実に入るようにする。
【００４４】
実施形態２
図３Ａおよび図３Ｂは、本願における実施形態２による、端末の背面の別の概略的な構造図である。この実施形態では、図３Ａおよび図３Ｂに示すように、端末本体１０に環境検出センサ５０がさらに配置され、環境検出センサ５０は第１の開口１１に配置される。また、環境検出センサ５０も、２つのカメラ２０の間にある隙間に配置される。環境検出センサ５０は、周囲光を検出し、検出した周囲光の強度に基づいてフラッシュ４０の補助光強度を調節するように構成される。この実施形態では、環境検出センサ５０が２つのカメラ２０の間にある隙間に配置されるときに、具体的には、隙間は通常は２つの隣接するカメラ２０の間に存在するため、距離検出センサ３０および環境検出センサ５０の両方が隙間に配置されてもよい。また、カメラ２０は通常は円形形状であるため、２つの隣接するカメラ２０は通常は間隔を置いて配置されないが、２つの隣接するカメラ２０が近接して配置されていても、２つの隣接するカメラ２０の間には、交点の上側および下側（２つのカメラ２０が横方向に配置されているとき）、あるいは左側および右側（２つのカメラ２０が縦方向に配置されているとき）には空の隙間が存在する。この場合、距離検出センサ３０は１つの隙間（例えば、上の隙間または左の隙間）に配置されてもよく、環境検出センサ５０は別の隙間（例えば、下の隙間または右の隙間）に配置される。具体的には、距離検出センサ３０と環境検出センサ５０とは、２つのカメラ２０の間にある隙間内で、左右に、または上下にセットされる。この実施形態では、距離検出センサ３０と環境検出センサ５０とが干渉しないので、セットするときに、距離検出センサ３０と環境検出センサ５０とを特定の間隔を置いて配置する必要はない。しかしながら、従来技術では、距離検出センサ３０とフラッシュ４０とが同じ開口間隔で配置される。距離検出センサ３０の光円錐とフラッシュ４０の光円錐とが重なるのを回避するためには、距離検出センサ３０とフラッシュ４０との間に特定の間隔を設定することが必要になる。したがって、この実施形態では、距離検出センサ３０と環境検出センサ５０とによって占有されるスペースは、距離検出センサ３０とフラッシュ４０とによって占有されるスペースよりもはるかに小さい。このように、距離検出センサ３０と環境検出センサ５０とが第１の開口１１に配置されるときは、第１の開口１１に、距離検出センサ３０および環境検出センサ５０用のスペースを特に空けておく必要はない。したがって、距離検出センサ３０と環境検出センサ５０とを配置することによって、第１の開口１１の開口面積が増えることはない。
【００４５】
この実施形態では、距離検出センサ３０および環境検出センサ５０は両方とも既存の装置である。距離検出センサ３０および環境検出センサ５０の構造および作動原理については、従来技術を参照されたい。この実施形態において詳細を再度述べることはない。
【００４６】
この実施形態では、２つのカメラ２０の間に環境検出センサ５０が配置されると、環境検出センサ５０が端末本体１０で個別の開口に配置されるために端末本体１０の開口の数が増える問題が回避される。また、２つのカメラ２０の間にある隙間に環境検出センサ５０が配置されるときに、環境検出センサ５０を配置するために第１の開口１１に余分なスペースを空けておく必要がないため、環境検出センサ５０を配置することによって第１の開口１１の開口面積が大きくなる問題が回避される。したがって、この実施形態で提供される端末には、端末本体１０にセンサが追加されたときに開口の数と開口の大きさとに影響しないという効果があり、これによって端末の外観が確実に良くなる。
【００４７】
実施形態３
図４Ａおよび図４Ｂは、本願における実施形態３による、端末の背面の概略的な構造図である。図５は、本願における実施形態３による、端末のカメラ、センサ、およびフラッシュの概略的な構造図である。図６は、本願による端末の第１の開口の断面の一部の概略的な構造図である。図７は、本願による端末のカメラおよび防塵部品の断面の概略的な構造図である。図８は、既存の端末の、カメラおよび防塵部品の断面の概略的な構造図である。図９は、本願による端末の、フラッシュの光円錐および環境検出センサの光円錐の概略図である。図１０は、本願による端末の、フラッシュの光円錐および環境検出センサの光円錐の概略的な上面図である。
【００４８】
この実施形態では、図４Ａ〜図１０に示すように、端末本体１０に環境検出センサ５０がさらに配置される。環境検出センサ５０は、周囲光を検出し、検出した周囲光の強度に基づいてフラッシュ４０の補助光強度を調節するように構成される。環境検出センサ５０が受ける周囲光は可視光であるため、この実施形態では、環境検出センサ５０は第２の開口１２に配置されてもよい。このように、環境検出センサ５０とフラッシュ４０とは同じ開口（第１の開口１１）に配置される。フラッシュ４０のレンズは、補助的な光学素子を使用してフレネルテクスチャ構造で設計されているので、ＬＥＤの光放射角度を変える目的が達成される。携帯電話のフラッシュ４０は、フラッシュレンズの焦点機能を使用して光を７０°〜８０°に収束する。しかしながら、環境検出センサ５０が受ける周囲光は可視光であって赤外光ではないため、環境検出センサ５０は、加えられた可視光を集中させるフレネルレンズに影響されない。具体的には、環境検出センサ５０とフラッシュ４０とはフラッシュのカバーを共有してもよく、レンズを個別に配置する必要はない。距離検出センサ３０とフラッシュ４０とが同じ開口に配置されるときは、距離検出センサ３０は赤外光を放射し、赤外光の波長が可視光の波長とは異なるために、距離検出センサ３０は可視光を集中させるフレネルレンズは使用できない、すなわちフラッシュ４０のカバーを共有することはできない。距離検出センサ３０とフラッシュ４０とがカバーを共有する必要がある場合は、レンズは個別に設計されなければならず、かつ光円錐が重なるようにすることはできない。このように、距離検出センサ３０とフラッシュ４０とが１つの開口に配置されるときは、距離検出センサ３０の光円錐とフラッシュ４０の光円錐とが容易に重ならないことを確実にするために、距離検出センサ３０とフラッシュ４０との間は間隔を空けておく必要がある。このように、距離検出センサ３０とフラッシュ４０とが１つの開口に配置されるときは、比較的大きいスペースが占有される。しかしながら、この実施形態では、環境検出センサ５０とフラッシュ４０とが第１の開口１１に配置されるときにランプカバーが共有されてもよく、かつレンズは個別に設計される必要がなく、その結果、第１の開口１１内に環境検出センサ５０とフラッシュ４０とを組み付ける際の利便性がより高まる。
【００４９】
可能な実施では、環境検出センサ５０はフラッシュ４０の可視光を集中させるフレネルレンズの影響を受けないので、環境検出センサ５０とフラッシュ４０とはカバーを共有してもよく、レンズが個別に配置される必要はない。このように、環境検出センサ５０が第２の開口１２に配置され、（図９および図１０に示すように）フラッシュ４０の光円錐４１が環境検出センサ５０の光円錐５１と部分的に重なり、フラッシュ４０と環境検出センサ５０とが第２の開口１２に配置されるときは、フラッシュ４０と環境検出センサ５０とのスペースは制限されない。したがって、配置する際は、フラッシュ４０と環境検出センサ５０との間のスペースは比較的小さくてもよい。このように、フラッシュ４０と環境検出センサ５０とによって占有されるスペースは比較的小さくなる。この場合、第２の開口１２はより小さいサイズで配置されてもよく、最終的に、端末に配置される第２の開口１２は小さくなる。
【００５０】
可能な実施では、図５から図８に示すように、防塵部品６０がさらに含まれる。防塵部品６０は、カメラ２０の軸線方向に沿ってカメラ２０の周囲に被せられ、防塵部品６０は、カメラ２０上で防塵機能を果たすように構成される。防塵部品６０を使用することによって、カメラ２０への塵や不純物の侵入が防止される。防塵部品６０がカメラ２０に配置されるときは、具体的には、防塵部品６０は各カメラ２０に被せられてもよく、あるいは防塵部品６０を使用してカメラ２０全体の外側が囲まれてもよく、その結果、カメラ２０は防塵部品６０で囲まれたスペースに配置され、カメラ２０のレンズが配置されているスペースに容易に塵が入ることはない。
【００５１】
可能な実施では、防塵部品６０は少なくとも２層の防塵フォームを含む。例えば、防塵部品６０は、図５および図７に示すように、それぞれ防塵フォームの第１の層６１、および防塵フォームの第２の層６２の２層の防塵フォームを含んでもよい。あるいは、防塵部品６０は３層の防塵フォームをさらに含んでもよく、それはすなわち防塵フォームの第１の層６１、防塵フォームの第２の層６２、および防塵フォームの第３の層である。防塵部品６０に含まれる防塵フォームの層の数は、具体的には実際の要件に基づいて選択される。
【００５２】
少なくとも２層の防塵フォームが配置されるときは、具体的には、少なくとも２層の防塵フォームのうちの防塵フォームの最外層が、カメラ２０の外側を囲み、少なくとも２つのカメラ２０が通過可能な複数の貫通開口が、残りの防塵フォームに配置される。この実施形態では、防塵フォームの最外層のほかに、設けられた貫通開口を使用して残りの防塵フォームが対応するカメラ２０に被せられる。防塵フォームの貫通開口の数は、カメラ２０の数と一対一対応になっている。例えば、図５および図７に示すように、防塵フォームは２つの層を有する。防塵フォームの第１の層６１は防塵フォームの第２の層６２の上方に配置され、すなわち防塵フォームの第１の層６１は防塵フォームの最外層であり、防塵フォームの第１の層６１は環状の防塵フォームである。防塵フォームの第２の層６２はシート状の防塵フォームであり、第１のカメラ２１のレンズおよび第２のカメラ２２のレンズを貫通させるために使用できる貫通開口は、防塵フォームの第２の層６２に配置される。このように、防塵フォームの第２の層６２は、第１のカメラ２１と第２のカメラ２２とに被せられ、防塵フォームの第１の層６１は、第１のカメラ２１および第２のカメラ２２の外輪郭全体の周囲に配置される。防塵フォームの第１の層６１と防塵フォームの第２の層６２とは、カメラ２０を塵から確実に保護するために配置される。
【００５３】
可能な実施では、カメラ２０の外側に防塵フォームが配置された後に、カメラ２０の間に距離検出センサ３０を配置する方法は、具体的には、防塵フォームの最外層に隣接する防塵フォームに第１の回路基板７０が配置され、距離検出センサ３０は第１の回路基板７０に配置され、第１の回路基板７０は、防塵フォームの２つの層を通過する接続線３１を使用して、端末本体１０内の第２の回路基板に配置される。具体的には、この実施形態では、距離検出センサ３０は第１の回路基板７０に配置され、第１の回路基板７０は防塵フォームの最外層の下方にある防塵フォームに配置される。具体的には、図５に示すように、第１の回路基板７０は、防塵フォームの第２の層６２に配置される。また、第１の回路基板７０は、端末本体１０内の第２の回路基板に接続される必要がある。したがって、接続線の一端は第１の回路基板７０に接続され、接続線の他端は、防塵フォームの第１の層６１と、防塵フォームの第２の層６２と、を通過して、第２の回路基板に接続される。図７に示すように、第１の回路基板７０の一端と第２の回路基板との間にある接続線３１は、防塵フォームの第１の層６１と、防塵フォームの第２の層６２と、を通過する。しかしながら従来技術では、図８に示すように、防塵フォームはカメラ２０に配置され、接続線は防塵フォームの２つの層を通過せず、接続線３１は防塵フォームの防塵保護を有しておらず接続線３１から塵が入りやすいため、カメラ２０に影響を与える。したがって従来技術に比べて、この実施形態では、第１の回路基板７０は、防塵フォームの２つの層を通過する接続線３１によって第２の回路基板に接続されるので、接続線３１から侵入する塵によって生じるカメラ２０への影響を回避し、カメラ２０に対して比較的良好な防塵効果を実現する。
【００５４】
この実施形態では、第１の回路基板７０は、具体的にはフレキシブルプリント基板（Flexible Printed Circuit、略称ＦＰＣ）であり、フレキシブルプリント基板は２層配線の解決策を用いている。第１の回路基板７０がフレキシブルプリント基板のときは、第１の回路基板７０はある程度の可撓性を有するので、限られたスペース内での組み立てがより容易になる。
【００５５】
この実施形態では、第２の回路基板が主制御回路基板であり、具体的にはプリント回路基板（Printed Circuit Board、略称ＰＣＢ）である。
【００５６】
可能な実施では、防塵フォームの２つの層の間に配置された接続線３１の太さは、第１の回路基板７０から第２の回路基板にかけて順次減少する。具体的には、接続線３１が防塵フォームの２つの層を通過するときは、防塵フォームの２つの層の間に配置された接続線３１は、第１の回路基板７０から第２の回路基板にかけて連続的に縮小させられ、これにより塵に対して比較的良好な遮断効果を実現し、接続線３１の隙間から侵入する塵によって生じる影響がカメラ２０に及ぶことを回避し、かつ連続的に細くなる方式で接続線３１を配置することによって、カメラ２０に対して比較的良好な防塵効果を実現する。
【００５７】
可能な実施では、第２の開口が２つの半円形の開口に分割され、２つの半円形の開口が、円形の開口を形成するように左右に、または上下に配置されてもよい。フラッシュ４０は、半円形の開口のうちの一方に配置されてもよく、環境検出センサ５０は、他方の半円形の開口に配置されてもよい。第２の開口１２にフラッシュ４０のみが配置されるときは、半円形の開口にフラッシュ４０のみが配置されることに留意されたい。
【００５８】
可能な実施では、端末本体は筐体を備える。第１の開口１１と第２の開口１２とは、筐体の表面であって、画面１０１とは反対の方向を向いている、表面に設けられる。具体的には、第１の開口１１と第２の開口１２とは筐体の背面に配置される。この場合、第１のカメラ２１と第２のカメラ２２と距離検出センサ３０とは、筐体の第１の開口１１に配置され、環境検出センサ５０とフラッシュ４０とは筐体の第２の開口１２に配置される、あるいは第１の開口１１と第２の開口１２とは、筐体の表面であって、画面１０１の方を向いている、表面に配置される。具体的には、第１の開口１１と第２の開口１２とは筐体の正面に配置される。この場合、第１のカメラ２１、第２のカメラ２２、距離検出センサ３０、環境検出センサ５０、およびフラッシュ４０は端末の正面に配置され、あるいは第１の開口１１と第２の開口１２とは、筐体の面であって、画面１０１とは反対の方向を向いている、面と、筐体の面であって、画面１０１の方を向いている、面と、の両方に配置される。このように、第１のカメラ２１、第２のカメラ２２、距離検出センサ３０、環境検出センサ５０、およびフラッシュ４０は、端末の前端および後端の両方に配置される。したがって、端末の正面および背面の両方を撮影することができる。この実施形態では、図１Ｂに示すように、第１の開口１１は筐体の正面の上部に配置され、第１のカメラ２１と、第２のカメラ２２と、距離検出センサ３０と、は第１の開口１１に配置される。あるいは、図１Ｃに示すように、ノッチ（すなわち第１の開口１１）は、画面１０１と、筐体の正面の上部と、の間の接触位置に設けられ、第１のカメラ２１と、第２のカメラ２２と、距離検出センサ３０と、環境検出センサ５０と、がノッチに配置される。
【００５９】
前述の部品に加えて、本実施形態で提供される端末が携帯電話である例を使用すると、端末は、高周波（Radio Frequency、ＲＦ）回路、メモリ、別の入力装置、ディスプレイ、センサ、オーディオ回路、Ｉ／Ｏサブシステム、プロセッサ、および電源などの部品をさらに備える。図１Ａ〜図４Ｂに示す携帯電話の構造は、携帯電話にいかなる制限も課すことはなく、かつ携帯電話は図示されているよりも多い、またはより少ない部品を含んでもよく、あるいはいくつかの部品が組み合わされてもよく、あるいはいくつかの部品が分離されてもよく、あるいは別の部品配置が使用されてもよいことが当業者には理解できるであろう。ディスプレイはユーザインターフェース（User Interface、ＵＩ）に属し、端末装置は、図示されているよりも少ない、またはより多いユーザインターフェースを備えてもよいことが当業者には理解できるであろう。
【００６０】
以下、端末の各部品について詳しく説明する。
【００６１】
ＲＦ回路は、情報の送受信処理または発信処理中に、信号を送受信するように構成されてもよい。具体的には、ＲＦ回路は基地局の下り情報を受信し、次に、下り情報を処理用のプロセッサに伝達して、設計された上りデータを基地局に送信する。一般にＲＦ回路は、これに限定されないが、アンテナ、少なくとも１つの増幅器、送受信機、カプラ、低ノイズ増幅器（Low Noise Amplifier、ＬＮＡ）、デュプレクサなどを備える。また、ＲＦ回路は、無線通信を通じてネットワークおよび別の装置とさらに通信してもよい。無線通信は、これに限定されないが、モバイル通信用グローバルシステム（Global System of Mobile communication、ＧＳＭ）、汎用パケット無線サービス（General Packet Radio Service、ＧＰＲＳ）、符号分割多元接続（Code Division Multiple Access、ＣＤＭＡ）、広帯域符号分割多元接続（Wideband Code Division Multiple Access、ＷＣＤＭＡ（登録商標））、ロングタームエボリューション（Long Term Evolution、ＬＴＥ）、電子メール、ショートメッセージサービス（Short Messaging Service、ＳＭＳ）などを含む、任意の通信規格または通信プロトコルを使用してもよい。
【００６２】
メモリは、ソフトウェアプログラムおよびモジュールを記憶するように構成されてもよく、プロセッサは、端末のさまざまな機能アプリケーションおよびデータ処理を実行するためにメモリ内に記憶されたソフトウェアプログラムおよびモジュールを実行する。メモリは、主にプログラム記憶領域とデータ記憶領域とを含んでもよく、プログラム記憶領域は、オペレーティングシステム、少なくとも１つの機能（音声再生機能、および画像表示機能など）に必要とされるアプリケーションプログラムなどを記憶してもよく、データ記憶領域は、端末の使用に基づいて作成された（オーディオデータ、アドレス帳などの）データなどを記憶してもよい。また、メモリは高速のランダムアクセスメモリを含んでもよく、かつ少なくとも１つの磁気ディスク記憶部品などの不揮発性メモリ、フラッシュメモリ部品、その他の揮発性ソリッドステート記憶部品をさらに含んでもよい。
【００６３】
他の入力装置は、入力された数字または文字情報を受信して、端末のユーザ設定および機能制御に関するキー信号入力を生成するように構成されてもよい。具体的には、他の入力装置は、これに限定されないが、物理キーボード、（音量制御キーまたはオン／オフキーなどの）機能キー、トラックボール、マウス、ジョイスティック、および光学マウスのうちの１つ以上を含んでもよい（光学マウスは、視覚的な出力を表示しない接触感応面、またはタッチ画面で形成された、接触感応面の拡張機能である）。他の入力装置は、Ｉ／Ｏサブシステムの別の入力装置コントローラに接続され、別の入力装置コントローラの制御下でプロセッサと信号を交換する。
【００６４】
ディスプレイ画面は、ユーザが入力した情報、またはユーザに提供された情報、および端末のさまざまなメニューを表示するように構成され、さらにユーザ入力を受信し得る。具体的には、ディスプレイは表示パネルとタッチパネルとを含んでもよい。表示パネルは、ＬＣＤ（Liquid Crystal Display、液晶ディスプレイ）、ＯＬＥＤ（Organic Light-Emitting Diode、有機発光ダイオード）などの形態で構成されてもよい。タッチパネルは、タッチ画面、接触感応画面などとも呼ばれ、タッチ画面上で、またはタッチ画面付近で、ユーザの接触操作または非接触操作（指またはスタイラスなどの任意の適切なものやアクセサリを使用した、タッチパネル上またはタッチパネル付近でのユーザの操作、あるいは単独制御操作およびマルチポイント制御操作などの操作種別を含む、運動感知操作を含む操作など）を集めてもよく、事前に設定したプログラムに基づいて、対応する接続機器を駆動する。任意で、タッチパネルは接触検出装置、および接触コントローラの２つの部品を含んでもよい。接触検出装置は、ユーザの接触位置および身振りを検出し、接触操作で生成された信号を検出して、信号を接触コントローラに送信する。接触コントローラは、接触検出装置から接触情報を受信し、接触情報をプロセッサが処理できる情報に変換し、次に、情報をプロセッサに送信し、プロセッサが送信したコマンドを受信してコマンドを実行することができる。また、タッチパネルは、抵抗式、容量式、赤外線式、および表面波式など複数の種類を使用して実施されてもよく、あるいはタッチパネルは、その代わりに将来開発される任意の技術を使用して実施されてもよい。さらに、タッチパネルは表示パネルを覆ってもよい。ユーザは、表示パネルに表示される内容（表示される内容は、これに限定されないが、ソフトキーボード、仮想マウス、仮想キー、アイコンなどを含む）、および表示パネルを覆っているタッチパネル上、またはタッチパネル付近での操作に基づいて実行してもよい。タッチパネル上、またはタッチパネル付近で接触操作を検出した後に、タッチパネルは、接触イベントの種類を決定して、ユーザ入力を決定するために、Ｉ／Ｏサブシステムを使用して、接触操作をプロセッサに伝送する。その後、プロセッサは、Ｉ／Ｏサブシステムを使用し
て、接触イベントの種類とユーザ入力とに基づいて、対応する視覚的な出力を表示パネルに提供する。図２では、端末の入出力機能を実施するために、タッチパネルと表示パネルとは２つの独立した部品として使用されているが、いくつかの実施形態では、端末の入出力機能を実施するためにタッチパネルと表示パネルとが一体化されてもよい。
【００６５】
端末は、少なくとも１つのセンサ、例えば、光学センサ、モーションセンサ、およびその他のセンサをさらに備えてもよい。具体的には、光学センサは周囲光センサおよび近接センサを含んでもよく、周囲光センサは周囲光の輝度に基づいて表示パネルの明るさを調節してもよく、近接センサは、端末が耳に当てられたときは表示パネルおよび／またはバックライトのスイッチをオフにしてもよい。モーションセンサの１種として、加速度センサは、さまざまな方向（通常は３軸）における加速度の大きさを検出してもよく、静止時には重力の大きさおよび方向を検出してもよく、（例えば、横向きと縦向きとの切り替え、向きが関係するゲーム、および磁力計姿勢補正による）携帯電話の向き、ならびに（歩数計およびノックなどの）振動認識に関連する機能を認識するアプリケーションなどに適用されてもよい。ジャイロスコープ、気圧計、湿度計、温度計、および赤外線センサなどの別のセンサが、さらに端末内で構成されてもよい。ここで詳細な説明はされない。
【００６６】
オーディオ回路、スピーカ、およびマイクは、ユーザと端末との間のオーディオインターフェースを提供し得る。オーディオ回路は、受信したオーディオデータを信号に変換して、信号をスピーカに送信し得る。スピーカは、信号を出力用の音信号に変換する。その一方で、マイクは収集した音信号を信号に変換する。オーディオ回路は、信号を受信して信号をオーディオデータに変換し、オーディオデータを別の携帯電話などに送信するために、オーディオデータをＲＦ回路１０８に出力する、あるいはさらに処理するためにオーディオデータをメモリに出力する。
【００６７】
Ｉ／Ｏサブシステムは外部入出力装置を制御するように構成され、別の装置入力コントローラ、センサコントローラ、および表示コントローラを含んでもよい。任意で、１つ以上の別の入力制御装置コントローラが、別の入力装置から信号を受信し、かつ／または別の入力装置に信号を送信する。別の入力装置は、物理的なボタン（押しボタン、ロッカボタンなど）、ダイヤルパッド、スライダスイッチ、ジョイスティック、クリックスクロールホイール、または光学マウスを含んでもよい（光学マウスは、視覚的な出力を表示しない接触感応面、またはタッチ画面によって形成された接触感応面の拡張機能である）。別の入力制御装置コントローラは、前述した装置のいずれか１つ、または複数に接続されてもよいことに留意されたい。Ｉ／Ｏサブシステムの表示コントローラは、ディスプレイから信号を受信し、かつ／または信号をディスプレイに送信する。ディスプレイがユーザ入力を検出した後に、検出したユーザ入力を表示コントローラが、ディスプレイに表示されるユーザインターフェースオブジェクトとの相互作用に変換する、すなわちマンマシン相互作用が実施される。センサコントローラは１つ以上のセンサから信号を受信し、かつ／または信号を１つ以上のセンサに送信する。
【００６８】
プロセッサは端末の制御センタであり、さまざまなインターフェースと線とを使用して、携帯電話のあらゆる部分を接続する。メモリに記憶されたソフトウェアプログラムおよび／またはモジュールを実施または実行することによって、かつメモリに記憶されたデータを呼び出すことによって、プロセッサは端末のさまざまな機能およびデータ処理を実行し、これによって携帯電話全体の監視を実行する。任意で、プロセッサは１つ以上の処理ユニットを含んでもよい。好ましくは、プロセッサは、アプリケーションプロセッサとモデムプロセッサとを一体化してもよい。アプリケーションプロセッサは、オペレーティングシステム、ユーザインターフェース、アプリケーションプログラムなどを主に処理する。モデムプロセッサは、無線通信を主に処理する。前述したモデムプロセッサは、あるいはプロセッサと一体化されなくてもよいことは理解されよう。
【００６９】
端末は、部品に電力を供給するための（バッテリなどの）電源をさらに備える。好ましくは、電源は電力管理システムを使用してプロセッサに論理的に接続されてもよく、これにより電力管理システムを使用して充電、放電、および電力消費管理などの機能を実施する。
【００７０】
図示されていないが、端末は、正面カメラ（第１のカメラ２１および第２のカメラ２２は背面カメラ２０である）、ブルートゥース（登録商標）モジュールなどをさらに備えてもよい。ここで詳細な説明はされない。
【００７１】
端末は、作動効率を最適化するために、処理部などの部品の作動状態を動的に調節してもよい。システムの負荷が比較的低いときに、現在実行しているプログラムに占有されているメモリリソースおよびプロセッサリソースが比較的低い場合は、端末はプロセッサを低電力消費モードにし、これによりバッテリの寿命が延長され、端末の温度が低くなる。システムの負荷が比較的高いとき、例えば、ユーザがシステムを使用可能にしたりＡＰＰを開いたりしたときは、プロセッサは高電力消費モードにされてもよい。例えば、実行電力消費は極超短波などによって改善され、これによってより高い性能と、プログラムが使用可能になるまでの時間の短縮と、ユーザの使用感の向上と、が実現される。プロセッサを起動および停止することによって、あるいはプロセッサを起動およびシャットダウンすることによって、プロセッサの作動状態が実施され得ることは理解されよう。
【符号の説明】
【００７２】
１０  端末本体
１１  第１の開口
１２  第２の開口
２０  カメラ
２１  第１のカメラ
２２  第２のカメラ
３０  距離検出センサ
３１  接続線
４０  フラッシュ
４１  フラッシュの光円錐
５０  環境検出センサ
５１  環境検出センサの光円錐
６０  防塵部品
６１  第１の層
６２  第２の層
７０  第１の回路基板
１０１  画面
【図１Ａ】
2021516916.tif 000003
【図１Ｂ】
2021516916.tif 000004
【図１Ｃ】
2021516916.tif 000005
【図２Ａ】
2021516916.tif 000006
【図２Ｂ】
2021516916.tif 000007
【図３Ａ】
2021516916.tif 000008
【図３Ｂ】
2021516916.tif 000009
【図４Ａ】
2021516916.tif 000010
【図４Ｂ】
2021516916.tif 000011
【図５】
2021516916.tif 000012
【図６】
2021516916.tif 000013
【図７】
2021516916.tif 000014
【図８】
2021516916.tif 000015
【図９】
2021516916.tif 000016
【図１０】
2021516916.tif 000017
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
端末本体、少なくとも２つのカメラ、フラッシュ、および距離検出センサを備える端末であって、
前記少なくとも２つのカメラ、前記フラッシュ、および前記距離検出センサが、前記端末本体に配置され、
前記端末本体は第１の開口と第２の開口とを備え、前記少なくとも２つのカメラと前記距離検出センサとは前記第１の開口に配置され、前記距離検出センサは前記少なくとも２つのカメラのうちの２つのカメラの間にある隙間に配置され、
前記フラッシュは前記第２の開口に配置される、
端末。
【請求項２】
前記端末が、前記端末本体に配置された環境検出センサをさらに備え、前記環境検出センサは前記第２の開口に配置される、請求項１に記載の端末。
【請求項３】
前記フラッシュの光円錐が前記環境検出センサの光円錐と部分的に重なる、請求項２に記載の端末。
【請求項４】
前記環境検出センサおよび前記フラッシュが、１つのランプカバーを共有している、請求項３に記載の端末。
【請求項５】
前記少なくとも２つのカメラが、２つのカメラを含み、前記２つのカメラが、前記第１の開口の最大寸法が位置する方向に沿って配置される、請求項１から４のいずれか一項に記載の端末。
【請求項６】
前記第１の開口が、長辺と短辺とを有する長く延びた開口であり、前記第１の開口の前記最大寸法が位置する前記方向が、前記長辺の延伸方向である、請求項５に記載の端末。
【請求項７】
前記第１の開口の前記最大寸法が位置する前記方向が、前記端末本体の上縁または側縁と平行である、請求項５または６に記載の端末。
【請求項８】
前記距離検出センサが、前記２つのカメラの中心を結ぶ直線の片側に配置される、あるいは前記距離検出センサが、前記２つのカメラの中心を結ぶ直線上に配置される、請求項５から７のいずれか一項に記載の端末。
【請求項９】
前記第１の開口および前記第２の開口が、前記端末本体の同じ側に配置され、前記第１の開口および前記第２の開口が、互いに近接してかつ前記端末本体の縦方向に沿って配置される、請求項１から８のいずれか一項に記載の端末。
【請求項１０】
前記距離検出センサが、長辺縁部と短辺縁部とを有し、前記距離検出センサの前記短辺縁部が、前記第１の開口の前記最大寸法が位置する前記方向と平行になっている、請求項５から７のいずれか一項に記載の端末。
【請求項１１】
前記端末が、防塵部品をさらに備え、前記防塵部品が、前記少なくとも２つのカメラの軸線方向に沿って前記少なくとも２つのカメラの周囲に被せられる、請求項１から１０のいずれか一項に記載の端末。
【請求項１２】
前記防塵部品が、少なくとも２層の防塵フォームを備え、前記少なくとも２層の防塵フォームが、前記少なくとも２つのカメラの前記軸線方向に沿って順次積み重ねられ、前記少なくとも２層の防塵フォームの最外層が、前記少なくとも２つのカメラの外側を囲み、前記少なくとも２つのカメラが通過できる複数の貫通開口が、残りの前記防塵フォームに配置される、請求項１１に記載の端末。
【請求項１３】
前記端末が、第１の回路基板をさらに備え、前記第１の回路基板が、前記防塵フォームの前記最外層に隣接する前記防塵フォームに配置され、前記距離検出センサが前記第１の回路基板に配置され、前記端末本体内で、前記第１の回路基板の一端が、前記防塵フォームの２つの層の間を通る接続線によって第２の回路基板に接続され、前記防塵フォームの前記２つの層の間に配置された前記接続線の太さが、前記第１の回路基板から前記第２の回路基板にかけて順次減少する、請求項１２に記載の端末。
【請求項１４】
前記第１の回路基板が、フレキシブルプリント基板であり、前記第２の回路基板が、主制御回路基板である、請求項１３に記載の端末。
【請求項１５】
前記第２の開口が、２つの半円形の開口に囲まれた円形の開口であり、前記環境検出センサが、前記２つの半円形の開口のうちの一方に配置され、前記フラッシュが、前記２つの半円形の開口のうちの他方の半円形の開口に配置される、請求項２から４のいずれか一項に記載の端末。
【手続補正２】
【補正対象書類名】明細書
【補正対象項目名】００３１
【補正方法】変更
【補正の内容】
【００３１】
したがって、従来技術におけるカメラとフラッシュと距離検出センサとが配置される開口に比べて、この実施形態では第１の開口１１の開口面積が小さくなる。また、この実施形態では、少なくとも２つのカメラ２０と距離検出センサ３０とは第１の開口１１に配置され、フラッシュ４０は第２の開口１２に配置されるので、カメラ２０と、距離検出センサ３０と、フラッシュ４０と、が個別の開口に配置される既存の端末に比べて開口の数が少なくなる。したがって、この実施形態で提供される端末は開口が少なく、かつ開口が小さいので、カメラ２０、フラッシュ４０、および距離検出センサ３０のレイアウトをコンパクトにする目的が達成され、その結果、端末の外観がより美しくなる。
【手続補正３】
【補正対象書類名】明細書
【補正対象項目名】００５３
【補正方法】変更
【補正の内容】
【００５３】
可能な実施では、カメラ２０の外側に防塵フォームが配置された後に、カメラ２０の間に距離検出センサ３０を配置する方法は、具体的には、防塵フォームの最外層に隣接する防塵フォームに第１の回路基板７０が配置され、距離検出センサ３０は第１の回路基板７０に配置され、第１の回路基板７０は、防塵フォームの２つの層を通過する接続線３１を使用して、端末本体１０内の第２の回路基板に接続される。具体的には、この実施形態では、距離検出センサ３０は第１の回路基板７０に配置され、第１の回路基板７０は防塵フォームの最外層の下方にある防塵フォームに配置される。具体的には、図５に示すように、第１の回路基板７０は、防塵フォームの第２の層６２に配置される。また、第１の回路基板７０は、端末本体１０内の第２の回路基板に接続される必要がある。したがって、接続線の一端は第１の回路基板７０に接続され、接続線の他端は、防塵フォームの第１の層６１と、防塵フォームの第２の層６２と、を通過して、第２の回路基板に接続される。図７に示すように、第１の回路基板７０の一端と第２の回路基板との間にある接続線３１は、防塵フォームの第１の層６１と、防塵フォームの第２の層６２と、を通過する。しかしながら従来技術では、図８に示すように、防塵フォームはカメラ２０に配置され、接続線は防塵フォームの２つの層を通過せず、接続線３１は防塵フォームの防塵保護を有しておらず接続線３１から塵が入りやすいため、カメラ２０に影響を与える。したがって従来技術に比べて、この実施形態では、第１の回路基板７０は、防塵フォームの２つの層を通過する接続線３１によって第２の回路基板に接続されるので、接続線３１から侵入する塵によって生じるカメラ２０への影響を回避し、カメラ２０に対して比較的良好な防塵効果を実現する。
【手続補正４】
【補正対象書類名】明細書
【補正対象項目名】００６１
【補正方法】変更
【補正の内容】
【００６１】
ＲＦ回路は、情報の送受信処理または発信処理中に、信号を送受信するように構成されてもよい。具体的には、ＲＦ回路は基地局の下り情報を受信し、次に、下り情報を処理用のプロセッサに伝達して、関連する上りデータを基地局に送信する。一般にＲＦ回路は、これに限定されないが、アンテナ、少なくとも１つの増幅器、送受信機、カプラ、低ノイズ増幅器（Low Noise Amplifier、ＬＮＡ）、デュプレクサなどを備える。また、ＲＦ回路は、無線通信を通じてネットワークおよび別の装置とさらに通信してもよい。無線通信は、これに限定されないが、モバイル通信用グローバルシステム（Global System of Mobile communication、ＧＳＭ）、汎用パケット無線サービス（General Packet Radio Service、ＧＰＲＳ）、符号分割多元接続（Code Division Multiple Access、ＣＤＭＡ）、広帯域符号分割多元接続（Wideband Code Division Multiple Access、ＷＣＤＭＡ（登録商標））、ロングタームエボリューション（Long Term Evolution、ＬＴＥ）、電子メール、ショートメッセージサービス（Short Messaging Service、ＳＭＳ）などを含む、任意の通信規格または通信プロトコルを使用してもよい。
【国際調査報告】
2021516916.tif 000018
2021516916.tif 000019
2021516916.tif 000020
2021516916.tif 000021